(57)【要約】      （修正有）【課題】皮膚の引っ張りによるハリのある皮膚を維持できるようにする皮膚引っ張りマッサージ器を提供する。【解決手段】手で握ることができる一定の長さと厚さを有する取っ手１００と取っ手１００の両側先端に組み立てられて一定角度で離れる２個の分岐軸と、分岐軸に回転可能に装着される回転軸と、回転軸にそれぞれ装着される玉４００が、一側端には大きい玉４００ａを他側端には一側端に装着された大きい玉より相対的に小さい玉４００ｂで構成されるものである。また取っ手１００の先端に二つの玉４００ａ、４００ｂが一定角度で離れた状態で離隔されて対向するように一対で具備され、使用者が両側の先端のうちで何れか一側の先端に装着された玉４００を選択して使用する。【選択図】図１
0003208128.tif 000002
【実用新案登録請求の範囲】
【請求項１】
手で握ることができる長さと厚さを有する取っ手１００と、前記取っ手１００の両側先端に組み立てされて一定角度で離れた２個の分岐軸２００と、前記分岐軸２００に回転可能に装着された回転軸３００と、前記回転軸３００に装着された玉４００がそれぞれ一定角度で離れるように装着されたものにおいて、
前記玉は、取っ手の一側端には大きい玉４００ａ、および、他側端には前記一側端に装着された大きい玉より相対的に小さい玉４００ｂからなり、
前記取っ手１００は所定の長さで長く形成された内入溝１１１を具備する本体１１０と、前記本体１１０の内入溝１１１を覆うようになる覆い１２０からなり、
前記覆い１２０の表面には印刷が可能であり、前記覆い１２０が結合された取っ手はその太さが大きい玉が形成された部分が、相対的に小さい玉が形成された部分から漸次的に厚くなるように形成されており、
前記取っ手１００は、両端の玉が底面に置かれた時に、両端の玉より少し上側に突出するように形成され、前記覆い１２０の形態はほとんど水平状態の流線型で形成されていることを特徴とする皮膚の表面の狭い面と広い面のマッサージが可能な皮膚引っ張りマッサージ器。
【請求項２】
前記両端に玉が装着された取っ手本体の下端には指で持つ場合に安定感を有するように中央部が凹状となった湾曲凹み部が形成され、その両側に延長されながらふくらんでいるようになる湾曲凸部が形成された湾曲屈曲部が形成されることを特徴とする請求項１に記載の皮膚の表面の狭い面と広い面のマッサージが可能な皮膚引っ張りマッサージ器。
【請求項３】
前記玉はほぼ半球形態である上部体４２０と下部体４４０に等分されるように分割形成され、
前記上部体４２０と下部体４４０が組み立てられる境界面(γ)を傾くように形成し、前記玉４００の球心軸線（β)が回転軸３００の回転軸線(α)に対して傾くように偏心装着されるようになされることを特徴とする請求項１または２に記載の皮膚の表面の狭い面と広い面のマッサージが可能な皮膚引っ張りマッサージ器。
【請求項４】
前記玉４００は上部体４２０と下部体４４０とに分割して形成する場合にその内壁に外部圧力に対応するための補強部４６０が形成され、
前記補強部４６０は上部体４２０または下部体４４０の内壁に沿った放射形で複数のリブ肉４６２が形成される、または上部体４２０と下部体４４０の内側に管体４６４を形成し、その管体４６４がリブ肉４６２によって上部体と下部体との内壁に固定されるように形成されることを特徴とする請求項３に記載の皮膚の表面の狭い面と広い面のマッサージが可能な皮膚引っ張りマッサージ器。
【請求項５】
等分されて組み立てされる前記玉４００は、上部体４２０と下部体４４０が結合される境界部位に皮膚が柔らかくて噛まれることを防止しながらマッサージ効果を増大するための突出枠４８０がさらに具備され、
前記突出枠４８０は玉４００の表面より相対的に突出するように形成され、上部体４２０と下部体４４０が結合される境界部位に皮膚が直接摩擦されないようにすることを特徴とする請求項４に記載の皮膚の表面の狭い面と広い面のマッサージが可能な皮膚引っ張りマッサージ器。
【請求項６】
前記突出枠は別途の挟み枠４８２の形態で組み立てられる上部体４２０と下部体４４０の境界に組み立てられることができ、
前記挟み枠は上部と下部側に対称となるように組み立て部位が構成され、挟んで組み立てされるようにそれぞれの段顎を具備することを特徴とする請求項５に記載の皮膚の表面の狭い面と広い面のマッサージが可能な皮膚引っ張りマッサージ器。
【請求項７】
前記挟み枠４８２には上側および下側にそれぞれ凹に内入された内入溝４８４を形成し、挟み枠４８２が、組み立てられる上部体４２０と下部体４４０にはその内入溝４８４に挿入されるようにふくらんでいるように飛び出した突出面４２４、４４４を形成して上部体４２０と挟み枠４８２と下部体４４０が組み立てされた境界面に隙間が発生することなく、緊密に組み立てられるようにすることを特徴とする請求項６に記載の皮膚の表面の狭い面と広い面のマッサージが可能な皮膚引っ張りマッサージ器。
【請求項８】
前記上部体４２０と下部体４４０が互いにかみ合うように組立てられる、または挟み枠４８２を利用して上部体４２０と下部体４４０が組立てられる場合に、その組み立て部位には組み立てがさらに堅固になされるようにしながらもシーリングがなされるようにパッキングが装着されることを特徴とする請求項５または６に記載の皮膚の表面の狭い面と広い面のマッサージが可能な皮膚引っ張りマッサージ器。
【考案の詳細な説明】
【技術分野】
【０００１】
本考案は、皮膚の引っ張りによる張りのある皮膚を維持できるようにする皮膚マッサージ器に関するものであり、特に、顔や皮膚の狭い面と広い面を一つのマッサージ器で同時にマッサージ(Ｍａｓｓａｇｅ)が可能になるようになるマッサージ器に関するものである。
【背景技術】
【０００２】
一般に、皮膚の美容には多様な種類のマッサージ器が使われているが、このようなものなどは大部分皮膚を擦る場合に円筒状のローラーがローリングされながら皮膚を加圧しながら擦る程度に過ぎず皮膚の弾力維持よりは張り詰めた部分を解いてくれるようになって血行改善に重点を置いたものに過ぎないものである。
【０００３】
しかし、このようなものの短所は、加圧の程度が強い場合または同一場所に繰り返し的に加圧される場合、皮膚の毛細管が裂けるようになりその部分が青青しくあざが生じるか、またはこれによる皮膚の副作用が発生されることがあるというものである。
【０００４】
したがって、最近にはローリング(ｒｏｌｌｉｎｇ)される玉を使って擦ることによって皮膚表面を加圧と同時に引っ張って皮膚弾力を維持するための玉型皮膚マッサージ器が提案されている。
【０００５】
しかし、このようなローリングされる玉型皮膚マッサージ器の構造は、取っ手の一側先端だけで両側に一定角度が離れた分岐軸を形成し、その分岐軸には回転軸を装着して回転軸と連動するように円形の玉を装着して皮膚を擦れば、それぞれの円形玉が反対方向に回転されながらその間に皮膚を構成する表皮または真皮の一部分まで引っ張りながらマッサージがなされるようにして皮膚弾力を維持できるようにするものである。
【０００６】
すなわち、人間の表皮は皮膚表面を形成する角質層と透明層及び顆粒層と有棘層及び基底層でなされるが、このような部分をマッサージすることで皮膚表面の弾力を維持することができるようになる。
【０００７】
ところで、このような玉型皮膚マッサージ器は、単純に一対の玉が取っ手の先端に配置されてマッサージをする方式であるため、玉の大きさと間隔によってマッサージができる部位が非常に特定されて、玉の大きさと間隔に好適な部分だけがマッサージ効果を得ることができるという制限的な問題点があるものである。
【０００８】
したがって、最近にはこのような玉の大きさを小さくし、その間隔も小さくすることで大きい玉でなされたマッサージ器としては、マッサージができない部分をマッサージできるようにまた他のマッサージ器が提案されているが、このような場合にはいつも２個のマッサージ器を準備しなければならないし、特に、車両で移動する場合に車両の渋滞によって移動しながらマッサージをしようとする場合には２個を交換して使わなければならない不便さがあるものであり、これは一般家庭でも２個を選択的に使用するということが不便であることはもちろん、保管や携帯に多くの困難があるものである。
【先行技術文献】
【特許文献】
【０００９】
【特許文献１】韓国登録実用新案第２００４５３６５８号公報
【特許文献２】韓国公開実用新案第２０−２０１０−００１２９２６号公報
【特許文献３】韓国公開特許第１０−２０１３−００９１６２２号公報
【特許文献４】韓国登録意匠第３０−０７８７５８１号公報
【考案の概要】
【考案が解決しようとする課題】
【００１０】
したがって本考案は、一つのマッサージ器で皮膚の広い面積と狭い面積をすべてマッサージが可能であるようにさせながら両方向に使用する場合にも取っ手を便利に取ることができるようにすることはもちろんまた、取っ手使用時に玉の干渉がないようにしたものである。
【００１１】
また、玉を取っ手の両端に組立てる場合に取っ手を内空間が形成された本体に覆いを脱着可能であるようにさせて、玉の組み立てが容易であるようにすることはもちろん、このような覆いの上面に印刷が可能であるようにさせたものである。
【課題を解決するための手段】
【００１２】
前記目的を達成するために本考案は、手で抱え取り可能に一定の長さで具備される取っ手と前記取っ手の前後両端に大きさ(直径)が互いに異なり、離隔間隔も互いに異なる一対の玉を両方向に配置したものである。
【００１３】
また、前記取っ手を両方向で持つ場合にも等しい持ち方が可能になるように取っ手の下端中央に湾曲凹み部が形成された状態で、その延長された両側に離隔されるように湾曲凸部を具備して湾曲屈曲部を形成することで、両方向にマッサージをする場合に取っ手が等しい形態で持たれることを可能にしたものである。
【００１４】
また、取っ手を、下端に湾曲屈曲部が形成される本体に内空間を形成して、前記内空間を平面状の覆いで覆って固定するようにすることで、取っ手の両端に玉の装着が容易であるようにすることはもちろん、多様なデザインの提供を可能にしたものである。
【００１５】
また、取っ手の両端に組み立てされる玉も一体型はもちろん等分された状態で組立てるようにすることで、多様な玉の使用も可能にすることはもちろん偏心回転が可能になるようにできるものである。
【考案の効果】
【００１６】
したがって、本考案の両方向マッサージ器によれば、取っ手を持って太ももやこむら、腹部などのように相対的に広い面積の身体部位をマッサージしようとする場合には相対的に大きい玉を利用してマッサージして、鼻面や指など局所部位に該当する狭い面積の身体部位をマッサージしようとする場合には相対的に大きさが小さな玉を利用してマッサージすることができるので、マッサージできる部位が限定されないで身体各部位の大部分をマッサージすることができる長所があるものである。
【００１７】
また、互いに異なる大きさ及び離隔間隔を有する玉を利用して等しい部位を互いに異なる圧力で皮膚をマッサージするので、使用者の多様な欲求を満たすことができるし、皮膚をさらに刺激してマッサージ効果を倍増させることができる。
【００１８】
また、取っ手の下端に中央の湾曲凹み部を中心に両側に延長された湾曲凸部が形成された湾曲屈曲部によって両方向の玉を利用してマッサージする場合にいつも安定的で等しい持ち方が可能になる。
【００１９】
また、取っ手が、大きい玉が形成された部分が相対的に小さな玉が形成された部分より厚く形成されており、また取っ手が両端の玉が底面に置かれた状態で両端の玉より少し等しく突出されるように形成されると共にカバーの形態がほとんど水平状態の流線型によって両端の玉を選択的に使用する場合に取っ手を定位置に取らない場合にも両端の玉がいつも手の平に密着されるようにすることでいつも等しい把持感を維持しながら使用することで便利さを追い求めることができるようになるものである。
【００２０】
また、取っ手の覆いを多様な材質で使用可能にすることで多様な色相やデザインはもちろん印刷の容易性による多様なデザインの製品の提供が可能になる。
【００２１】
また、玉を等分されるように組立てるようにすることで組み立て角度を変化させて玉の偏心回転を可能にし、引っ張り力を自然に強くて弱く変化するようにできてマッサージ効果を増進するようにしたものであり、このような等分された玉に突出枠を具備することで挟み防止はもちろんマッサージ効果を増加可能になるようにできるものである。
【図面の簡単な説明】
【００２２】
【図１】本考案の第１実施例による外観斜視図である。
【図２】本考案の第２実施例による外観斜視図である。
【図２ａ】本考案の玉の分解図である。
【図２ｂ】本考案のマッサージ器の側面図である。
【図３】本考案の両端に形成された玉の間隔と大きさを示した平面図である。
【図４】本考案の玉が組み立てされた様子を見せてくれる斜視図である。
【図５】本考案の実施例による分解斜視図である。
【図６】本考案の取っ手の下端に具備された湾曲屈曲部の拡大断面図である。
【図７】本考案の第２実施例の玉の他の実施例を示した外観斜視図である。
【図７ａ】本考案の第２実施例の玉の他の実施例を示した外観斜視図である。
【図８】玉に挟み枠が具備された様子を示した断面図である。
【図８ａ】玉に挟み枠が具備された様子を示した断面図である。
【図９】本考案の湾曲屈曲部に把持された様子を示した底面図である。
【図９ａ】本考案の湾曲屈曲部に把持された様子を示した側面図である。
【図９ｂ】本考案の湾曲屈曲部に把持された様子を示した側面図である。
【考案を実施するための形態】
【００２３】
以下、添付の図面に基づいて本考案を詳しく説明すれば次のようである。
【００２４】
図１及び図２は、本考案の一実施例をそれぞれ示したものであり、取っ手の両端に装着される玉の多様な形態を示したものであり、図３は取っ手の両端に互いに異なる大きさと間隔で玉が装着された状態を示したものであり、図４は前記取っ手に玉が組み立てされる一実施例を示したものであり、図５は前記取っ手が、内空間が具備される本体と前記本体の内空間を覆うようになる覆いでなされた状態を示したものであり、図６は前記取っ手の下端に湾曲屈曲部が形成された状態の拡大図であり、図７は本考案の第２実施例で取っ手両端に装着される玉の他の実施例を示したものであり、図８は本考案の取っ手が一側から他側に徐々に細くなるように形成されながら、その下端のみに形成された湾曲屈曲部によって指で把持された状態を示したものである。
【００２５】
図示されたように本考案の構造は、手で握ることができる一定の長さと厚さを有する取っ手１００と前記取っ手１００の両側先端に組み立てられて一定角度で離れる２個の分岐軸２００と前記分岐軸２００に回転可能に装着される回転軸３００と前記回転軸３００にそれぞれ装着される玉４００が一側端には大きい玉４００ａを他側端には前記一側端に装着された大きい玉より相対的に小さい玉４００ｂでなされるものである。
【００２６】
また前記玉４００は取っ手の先端に二つの玉が一定角度で離れた状態で離隔されて対向するように一対で具備され、その間に皮膚がかみ合って入って行きながら引っ張りマッサージが可能になるものであり、前記玉は取っ手１００の両側先端にそれぞれ一対ずつ配置されて使用者が両側の先端のうちで何れか一側の先端に装着された玉を選択して使用するようになるものである。
【００２７】
例えば、玉の離隔空間の幅を相対的に広く構成すれば、皮膚表面を形成する角質層と透明層及び顆粒層と有棘層及び基底層全部はもちろん皮膚内側の脂肪層などをすべて収容しながらマッサージできるようにできて、玉の離隔空間の幅を相対的に狭く構成すれば皮膚及び皮膚内側の多くの層のうちで一部の層のみを集中的にマッサージできるようにできる。
【００２８】
また、前記取っ手１００は所定の長さで長く形成されて内入溝１１１を具備する本体１１０と前記本体１１０の内入溝１１１を覆うようになる覆い１２０でなされる。
【００２９】
また、前記覆い１２０の表面には印刷によってロゴが具備されて、このような覆い１２０が結合された取っ手１００はその太さが大きい玉４００ａが形成された部分が相対的に小さな玉４００ｂが形成された部分より厚く形成されていて、このような太さは漸次的に厚く形成されており、また取っ手１００は両端の玉４００ａ、４００ｂが底面に置かれた状態で両端の玉より少し上側に同一に突出するように形成されると共に覆い１２０の形態はほとんど水平状態の流線型で形成されている。
【００３０】
したがって、両端の玉４００ａ、４００ｂを選択的に使ってマッサージをする場合に取っ手１００を同じ位置に持たないで一側にかたよるように持つ場合にも両端の玉４００ａ、４００ｂがいつも手の平に自然に密着されるようにすることでいつも同一の把持感を維持しながら使用するようになることで使用時の便利さを追い求めることができるようになる。
【００３１】
例えば、中指、薬指、小指を取っ手１００の湾曲屈曲部１３０に密着するようにして、母指は本体１１０の側面に密着した状態で人差し指をカバー１２０の上面をじっと押した状態で使用する場合には使用の便宜性と加圧の精密性を感じることができるようになるものである。
【００３２】
そして、前記取っ手１００の本体１１０の下端に、指で持つ場合に安定感を有するように中央部が凹状となる湾曲凹み部１３１を形成して、その両側に延長されながらふくらんでいるようになる湾曲凸部１３２が形成される湾曲屈曲部１３０を形成して同じ位置を持った場合には指で持った場合に湾曲凹み部１３１に大体指の中指が位置するようにしながら薬指は湾曲凸部１３２を形成する上昇曲線１３２ａに小指は下降曲線１３２ｂにそれぞれ位置するようにすることで大きい玉と小さい玉を選択的に使用する場合に手で握った特に安定感を有するようにしたものであり、マッサージする場合に手に余らないでスライドも防止できるようにするものである。
【００３３】
また、取っ手１００の表面を形成する覆い１２０を上述したように流線型でなされるようにして手で握る場合に滑らかさを維持しながらも湾曲屈曲部１３０によって滑ることを防止することができるようになるものである。
【００３４】
また、前記取っ手１００は本体１１０と覆い１２０で構成し、前記本体１１０には内空間を具備して取っ手の両端に装着される分岐軸２００の組み立てを容易とするものであり、覆い１２０を内空間を覆うように組立てる場合に組み立ての堅固性と安全性のための補強部が形成されるものである。
【００３５】
本考案での前記玉４００はほぼ球形状でなされるようにするか、または卵型の卵円形の形態でなされることができるものであり、玉は一体型であるか、または後述するように分離型で使用することができるものである。
【００３６】
本考案で使われる分離型の玉は、ほぼ半球形態でなされる上部体４２０と下部体４４０に等分されるように分割形成された構造を示し、この時上部体４２０と下部体４４０が組み立てされる境界面(γ)を傾くように形成すれば、玉４００の球心軸線(β)が回転軸３００の回転軸線(α)に対して傾くように装着されることができる。
【００３７】
すなわち、下部体４４０の形状を半球型で形成しながらその半球型の形態が一側で傾いた形状でなされるようにすれば、上部体４２０の形状を傾くように形成しなくても上部体４２０と下部体４４０が組み立てされる境界面(γ)が回転軸３００の回転軸線(α)と直交しないで傾くように組み立てがなされるので、玉が偏心されるように装着された状態で回転するようになる。
【００３８】
また、前記玉４００は上部体４２０または下部体４４０を分割して形成することでその内壁に外部圧力に対応するための補強部４６０が形成することができ、補強部４６０を形成するにもかかわらず成型の容易性を提供することができる。
【００３９】
前記補強部４６０は上部体４２０または下部体４４０の内壁に沿って放射形で複数のリブ肉４６２を形成して補強がなされるようにするか、または上部体４２０と下部体４４０の内側に管体４６４を形成し、その管体４６４がリブ肉４６２によって上部体４２０と下部体４４０の内壁に固定されるように形成することで補強がなされるようにできる。
【００４０】
この時、補強部は上部体４２０または下部体４４０に選択的に形成するか、または上部体４２０と下部体４４０すべてに形成することができる。
【００４１】
一方、等分されて組み立てされる前記玉４００は上部体４２０と下部体４４０が結合される境界部位に皮膚が柔らかくて噛まれることを防止しながらマッサージ効果を増大するための突出枠４８０がさらに具備されるものである。
【００４２】
この時、前記突出枠４８０は玉４００の表面より相対的にさらに突出されるように形成され、上部体４２０と下部体４４０が結合される境界部位に皮膚が直接摩擦されないようにするためのものであり、前記突出枠４８０は上部体４２０または下部体４４０のある一側に一体で形成することができる、または別途の挟み枠４８２の形態を用いて組み立てされる上部体４２０と下部体４４０の境界に組み立てされることができるものである。
【００４３】
本考案で前記突出枠４８０を上部体４２０または下部体４４０の何れか一側に一体で形成する場合には上部体４２０と下部体４４０に互いに対応されるようにかみ合い段顎４２２、４４２を形成し、上部体４２０と下部体４４０が組み立てされる境界面に隙間が発生しないで緊密に組み立てされるようにするものであり、反面に、突出枠４８０を一体で形成しないで上部体４２０と下部体４４０との間にリング形状の挟み枠４８２でなされる場合には上部体４２０と下部体４４０との組み立て部位が挟み枠４８２の上部と下部側に対称されるように組み立て部位が構成されて挟んで組み立てされるようにそれぞれの段顎を具備することができるものである。
【００４４】
この時、前記挟み枠４８２には上、下側でそれぞれ凹に内入された内入溝４８４を形成して、挟み枠４８２が組み立てされる上部体４２０と下部体４４０にはその内入溝４８４に挿入されるようにふくらんでいるように飛び出した突出面４２４、４４４を形成すれば、上部体４２０と挟み枠４８２と下部体４４０が組み立てされた境界面に隙間が発生しないでさらに緊密に組み立てされるようにできる。
【００４５】
また、前記上部体４２０と下部体４４０を互いにかみ合うように組立てるか、または挟み枠４８２を利用して上部体４２０と下部体４４０を組立てる場合にその組み立て部位には組み立てがさらに堅固になされるようにしながらもシーリングがなされるようにパッキングが装着するようにすることで気密性を確保することはもちろんマッサージする場合に突出枠が圧迫される場合にも緩衝が可能になるようにできる長所があるものである。
【符号の説明】
【００４６】
１００  取っ手
１１０  本体
１１１  内入溝
１２０  覆い
１３０  湾曲屈曲部
１３１  湾曲凹み部
１３２  湾曲凸部
１３２ａ  上昇曲線
１３２ｂ  下降曲線
２００  分岐軸
３００  回転軸
４００  玉
４００ａ  大きい玉
４００ｂ  小さな玉
４２０  上部体
４２２  かみ合い段顎
４２４  突出面
４４０  下部体
４４２  かみ合い段顎
４４４  突出面
４６０  補強部
４６２  リブ肉
４６４  管体
４８０  突出部
４８２  挟み枠
４８４  内入溝
【図１】
0003208128.tif 000003
【図２】
0003208128.tif 000004
【図２ａ】
0003208128.tif 000005
【図２ｂ】
0003208128.tif 000006
【図３】
0003208128.tif 000007
【図４】
0003208128.tif 000008
【図５】
0003208128.tif 000009
【図６】
0003208128.tif 000010
【図７】
0003208128.tif 000011
【図７ａ】
0003208128.tif 000012
【図８】
0003208128.tif 000013
【図８ａ】
0003208128.tif 000014
【図９】
0003208128.tif 000015
【図９ａ】
0003208128.tif 000016
【図９ｂ】
0003208128.tif 000017